(57)【要約】【課題】ユーザが番組コンテンツを再編集する場合に手間が掛かる。【解決手段】本発明は、収録用の番組コンテンツが記録される収録用記憶手段と、収録用記憶手段内の番組コンテンツを放送用に編集した番組コンテンツが記録される送出用記憶手段と、を有し、送出用記憶手段内の番組コンテンツを放送するもので、番組コンテンツのファイル名の生成および配信を行う管理サーバーと、番組コンテンツの収録時に、管理サーバーから配信されたファイル名にて番組コンテンツのファイルを収録用記憶手段に記録する収録サーバーと、番組コンテンツの編集時に、番組コンテンツの新たなファイル名の配信要求を管理サーバーに対して行い、管理サーバーから配信された新たなファイル名にて番組コンテンツのファイルを編集する編集機と、編集機が新たなファイル名にて編集した番組コンテンツのファイルを、送出用記憶手段に記録する転送用装置と、を有する。【選択図】図１
2009044323.tif 000002
【特許請求の範囲】
【請求項１】
収録用の番組コンテンツが記録される収録用記憶手段と、前記収録用記憶手段内の番組コンテンツを放送用に編集した番組コンテンツが記録される送出用記憶手段と、を有し、前記送出用記憶手段内の番組コンテンツを放送する番組放送システムであって、
番組コンテンツのファイル名の生成および配信を行う管理手段と、
番組コンテンツの収録時に、前記管理手段から配信されたファイル名にて当該番組コンテンツのファイルを前記収録用記憶手段に記録する収録手段と、
前記収録用記憶手段内の番組コンテンツの編集時に、当該番組コンテンツの新たなファイル名の配信要求を前記管理手段に対して行い、前記管理手段から配信された新たなファイル名にて当該番組コンテンツのファイルを放送用に編集する編集手段と、
前記編集手段が新たなファイル名にて編集した番組コンテンツのファイルを、前記送出用記憶手段に転送して記録する転送手段と、を有する番組放送システム。
【請求項２】
前記管理手段は、番組コンテンツの収録時には、当該番組コンテンツのバージョン番号を初期値としたファイル名を生成して前記収録手段に配信し、前記収録用記憶手段内の番組コンテンツの編集時には、当該番組コンテンツの新たなファイル名の配信要求を受けた時点で、当該番組コンテンツのバージョン番号を１段階上げた新たなファイル名を生成して前記編集手段に配信する、請求項１に記載の番組放送システム。
【請求項３】
前記送出用記憶手段内の番組コンテンツの放送時に、当該番組コンテンツのファイルのうち、ファイル名のバージョン番号が最大であるファイルを前記送出用記憶手段から読み出し、読み出したファイルの番組コンテンツを放送する放送手段をさらに有する、請求項２に記載の番組放送システム。
【請求項４】
前記送出用記憶手段内の番組コンテンツのファイルのうち、ファイル名のバージョン番号が最大ではなくなったファイルを、一定期間アクセスがない場合に削除する削除手段をさらに有する、請求項３に記載の番組放送システム。
【請求項５】
収録用の番組コンテンツが記録される収録用記憶手段と、前記収録用記憶手段内の番組コンテンツを放送用に編集した番組コンテンツが記録される送出用記憶手段と、を有し、前記送出用記憶手段内の番組コンテンツを放送する番組放送システムが行う番組放送方法であって、
番組コンテンツの収録時に、当該番組コンテンツのファイル名を生成し、生成したファイル名にて当該番組コンテンツのファイルを前記収録用記憶手段に記録する収録ステップと、
前記収録用記憶手段内の番組コンテンツの編集時に、当該番組コンテンツの新たなファイル名を生成し、生成した新たなファイル名にて当該番組コンテンツのファイルを放送用に編集する編集ステップと、
前記新たなファイル名にて編集した番組コンテンツのファイルを、前記送出用記憶手段に転送して記録する転送ステップと、を有する番組放送方法。
【請求項６】
前記収録ステップでは、番組コンテンツのバージョン番号を初期値としたファイル名を生成し、
前記編集ステップでは、番組コンテンツのバージョン番号を１段階上げた新たなファイル名を生成する、請求項５に記載の番組放送方法。
【請求項７】
前記送出用記憶手段内の番組コンテンツの放送時に、当該番組コンテンツのファイルのうち、ファイル名のバージョン番号が最大であるファイルを前記送出用記憶手段から読み出し、読み出したファイルの番組コンテンツを放送する放送ステップをさらに有する、請求項６に記載の番組放送方法。
【請求項８】
前記送出用記憶手段内の番組コンテンツのファイルのうち、ファイル名のバージョン番号が最大ではなくなったファイルを、一定期間アクセスがない場合に削除する削除ステップをさらに有する、請求項７に記載の番組放送方法。
【発明の詳細な説明】
【技術分野】
【０００１】
本発明は、番組コンテンツを放送する番組放送システムおよび番組放送方法に関する。
【背景技術】
【０００２】
地上波デジタル放送用のハイビジョン番組、すなわちＨＤＴＶ（High Definition TV）方式の番組コンテンツを放送する番組放送システムがある。
【０００３】
この種の番組放送システムでは、ＨＤＴＶ方式の収録用の番組コンテンツを、収録用記憶手段に記録し、収録用記憶手段内の番組コンテンツを放送用に編集して送出用記憶手段に記録し、送出用記憶手段内の番組コンテンツを放送している。
【０００４】
送出用記憶手段は、故障等の不具合により放送が途絶えることを避けるために、１系（現用系）と２系（予備系）とに２重化されている。通常は、１系の送出用記憶手段内の番組コンテンツを放送し、１系に不具合が発生した場合に、予備の２系の送出用記憶手段内の番組コンテンツを放送する。
【０００５】
なお、特許文献１には、同等な信号送出をする場合に送出系を２重化する技術が記載されている。
【特許文献１】特開２００６−１３９１２号公報
【発明の開示】
【発明が解決しようとする課題】
【０００６】
ところで、番組制作者等であるユーザは、例えば、番組放送システムからニュース番組を放送する場合、リアルタイムに様々な情報が配信されてくるため、送出用記憶手段内の編集済みの番組コンテンツのファイルを再編集したい場合がある。
【０００７】
しかしながら、送出用記憶手段には、番組コンテンツのファイルを上書きしてその内容を変更することができないという特性がある。
【０００８】
そのため、ユーザは、番組コンテンツを再編集する場合、自らで番組コンテンツに新たなファイル名を付けて別ファイルとしてから、番組コンテンツを再編集し送出用記憶手段に記録する必要があり、非常に手間が掛かってしまう。
【０００９】
本発明の目的は、上述した、ユーザが番組コンテンツを再編集する場合に手間が掛かるという課題を解決する番組放送システムおよび番組放送方法を提供することにある。
【課題を解決するための手段】
【００１０】
上記目的を達成するために本発明の番組放送システムは、
収録用の番組コンテンツが記録される収録用記憶手段と、前記収録用記憶手段内の番組コンテンツを放送用に編集した番組コンテンツが記録される送出用記憶手段と、を有し、前記送出用記憶手段内の番組コンテンツを放送する番組放送システムであって、
番組コンテンツのファイル名の生成および配信を行う管理手段と、
番組コンテンツの収録時に、前記管理手段から配信されたファイル名にて当該番組コンテンツのファイルを前記収録用記憶手段に記録する収録手段と、
前記収録用記憶手段内の番組コンテンツの編集時に、当該番組コンテンツの新たなファイル名の配信要求を前記管理手段に対して行い、前記管理手段から配信された新たなファイル名にて当該番組コンテンツのファイルを放送用に編集する編集手段と、
前記編集手段が新たなファイル名にて編集した番組コンテンツのファイルを、前記送出用記憶手段に転送して記録する転送手段と、を有することを特徴とする。
【００１１】
上記目的を達成するために本発明の番組放送方法は、
収録用の番組コンテンツが記録される収録用記憶手段と、前記収録用記憶手段内の番組コンテンツを放送用に編集した番組コンテンツが記録される送出用記憶手段と、を有し、前記送出用記憶手段内の番組コンテンツを放送する番組放送システムが行う番組放送方法であって、
番組コンテンツの収録時に、当該番組コンテンツのファイル名を生成し、生成したファイル名にて当該番組コンテンツのファイルを前記収録用記憶手段に記録する収録ステップと、
前記収録用記憶手段内の番組コンテンツの編集時に、当該番組コンテンツの新たなファイル名を生成し、生成した新たなファイル名にて当該番組コンテンツのファイルを放送用に編集する編集ステップと、
前記新たなファイル名にて編集した番組コンテンツのファイルを、前記送出用記憶手段に転送して記録する転送ステップと、を有することを特徴とする。
【発明の効果】
【００１２】
本発明によれば、番組コンテンツの編集時には、編集後の番組コンテンツが、上書きとはならずに、別ファイルとして送出用記憶手段に自動的に記録されることになるため、ユーザは、別ファイルの存在を意識することなく、番組コンテンツの編集・再編集を容易に行うことができるという効果が得られる。
【発明を実施するための最良の形態】
【００１３】
以下に、本発明を実施するための最良の形態について図面を参照して説明する。
【００１４】
図１を参照すると、本実施形態の番組放送システム１０は、管理サーバー１０１と、収録・編集系管理サーバー１０２と、送出系管理サーバー１０３と、収録サーバー１０４と、収録用ストレージ１０５と、編集機１０６と、送出１系用転送用装置１０７と、送出２系用転送用装置１０８と、送出１系用ストレージ１０９と、送出２系用ストレージ１１０と、送出制御装置１１２と、送出サーバー（１系）１１３と、送出サーバー（２系）１１４と、スイッチャー１１５と、を有している。
【００１５】
なお、管理サーバー１０１は管理手段の一例であり、送出系管理サーバー１０３は削除手段の一例であり、収録サーバー１０４は収録手段の一例であり、収録用ストレージ１０５は収録用記憶手段の一例であり、編集機１０６は編集手段の一例であり、送出１系用転送用装置１０７および送出２系用転送用装置１０８は転送手段の一例であり、送出１系用ストレージ１０９および送出２系用ストレージ１１０は送出用記憶手段の一例である。また、送出サーバー（１系）１１３、送出サーバー（２系）１１４、およびスイッチャー１１５からなる送出装置１１１は、放送手段の一例である。
【００１６】
本実施形態の番組放送システム１０は、ＨＤＴＶ方式の収録用の番組コンテンツを、収録用ストレージ１０５に記録し、収録用ストレージ１０５内の番組コンテンツを放送用に編集した上で、送出１系用ストレージ１０９および送出２系用ストレージ１１０に記録し、送出１系用ストレージ１０９および送出２系用ストレージ１１０内の番組コンテンツを端末２０に向けて放送するものであり、放送局にて使用される。
【００１７】
ここで、番組放送システム１０の上記の構成要素は、次のような機能を備えている。
【００１８】
管理サーバー１０１は、不図示の上位システムから提供された情報に基づいて、番組放送システム１０の全体的な動作を管理する。
【００１９】
特には、管理サーバー１０１は、収録・編集系管理サーバー１０２を制御して、番組放送システム１０の収録動作および編集動作を管理し、また、送出系管理サーバー１０３を制御して、番組放送システム１０の送出動作（放送動作）を管理する。
【００２０】
また、管理サーバー１０１は、本発明の特徴的な機能として、番組コンテンツの収録時や編集時に、図２に示すような番組コンテンツのファイル名の生成・配信を行う。
【００２１】
図２を参照すると、管理サーバー１０１は、番組コンテンツのＩＤとバージョン番号を組み合せたファイル名を生成する。なお、図２では、ファイル名の先頭から１３桁分の「２００７０７０１Ｈ０００１」がＩＤに相当し、末尾の２桁分の「０１」がバージョン番号に相当する。ただし、図２のファイル名は一例であって、本発明はこれに限定されるものではない。
【００２２】
収録サーバー１０４は、新聞社や他の放送局等である不図示の情報提供元から提供されたＨＤＴＶ方式の収録用の番組コンテンツを、ＨＤＴＶ方式のベースバンド信号からＭＰＥＧ２形式の１００Ｍｂｐｓのデータに変換した上で、そのファイルを収録用ストレージ１０５に記録する。このとき、収録サーバー１０４には、管理サーバー１０１から番組コンテンツのファイル名が配信されるため、配信されたファイル名にて番組コンテンツのファイルを記録する。なお、このときに管理サーバー１０１から配信される番組コンテンツのファイル名のバージョン番号は初期値となる。
【００２３】
編集機１０６は、収録用ストレージ１０５内の番組コンテンツを、番組制作者等であるユーザの操作に基づいて放送用に編集する。このとき、編集機１０６は、番組コンテンツの編集開始前に、新たなファイル名の配信要求を管理サーバー１０１に対して行い、管理サーバー１０１から配信された新たなファイル名にて番組コンテンツのファイルを編集する。なお、このときに管理サーバー１０１から配信される番組コンテンツのファイル名のバージョン番号は１段階上がった値となる。
【００２４】
収録用ストレージ１０５の後段に配置された送出系は、１系と２系とに二重化されており、１系と２系とからは同じ番組コンテンツが同期して送出される。
【００２５】
送出１系用転送用装置１０７は、編集機１０６が新たなファイル名にて編集した番組コンテンツのファイルを、送出１系用ストレージ１０９に転送して記録し、また、送出２系用転送用装置１０８は、編集機１０６が新たなファイル名にて編集した番組コンテンツのファイルを、送出２系用ストレージ１１０に転送して記録する。
【００２６】
したがって、番組コンテンツの編集時には、編集後の新バージョンの番組コンテンツが、上書きとはならずに、別ファイルとして送出１系用ストレージ１０９および送出２系用ストレージ１１０に自動的に記録されることになるため、ユーザは、別ファイルの存在を意識することなく、番組コンテンツの編集・再編集を容易に行うことができる。
【００２７】
なお、収録用ストレージ１０５にも、編集機１０６が新たなファイル名にて編集した番組コンテンツのファイルが記録されることになる。
【００２８】
送出装置１１１は、端末２０が送出制御装置１１２に指示した番組コンテンツのファイルを、送出１系用ストレージ１０９および送出２系用ストレージ１１０から読み出し、読み出したファイルの番組コンテンツを端末２０に向けて放送する。このとき、端末２０から指示された番組コンテンツについて、バージョンが異なる複数のファイルが送出１系用ストレージ１０９および送出２系用ストレージ１１０に記録されている場合、送出装置１１１は、ファイル名のバージョン番号が最大であるファイルを読み出し、読み出したファイルの番組コンテンツを放送することになる。
【００２９】
この送出装置１１１は、送出サーバー（１系）１１３、送出サーバー（２系）１１４、およびスイッチャー１１５からなる。
【００３０】
送出サーバー（１系）１１３は、送出１系用ストレージ１０９内の端末２０から指示された番組コンテンツのファイルのうち、ファイル名のバージョン番号が最大であるファイルを読み出し、読み出したファイルの番組コンテンツをスイッチャー１１５に出力する。
【００３１】
送出サーバー（２系）１１４は、送出２系用ストレージ１１０内の端末２０から指示された番組コンテンツのファイルのうち、ファイル名のバージョン番号が最大であるファイルを読み出し、読み出したファイルの番組コンテンツをスイッチャー１１５に出力する。
【００３２】
スイッチャー１１５は、端末２０に向けて、通常は、送出サーバー（１系）１１３から出力された番組コンテンツを放送し、１系に故障等の不具合が発生した場合、送出サーバー（２系）１１４から出力された番組コンテンツを放送する。
【００３３】
なお、収録用ストレージ１０５、送出１系用ストレージ１０９、および送出２系用ストレージ１１０内の番組コンテンツのファイルのうち、ファイル名のバージョン番号が最大ではなくなったファイル、すなわち旧バージョンの番組コンテンツのファイルについては、一定期間アクセスがない場合に削除される。
【００３４】
以下、本実施形態の番組放送システム１０の動作について説明する。
【００３５】
まず、番組コンテンツを収録する場合の動作について、図３を参照して説明する。
【００３６】
図３を参照すると、管理サーバー１０１は、収録・編集系管理サーバー１０２経由で、収録サーバー１０４に対し、不図示の情報提供元から提供されたＨＤＴＶ方式の番組コンテンツのうち収録用の番組コンテンツを指定してその記録を指示する。これと同時に、管理サーバー１０１は、番組コンテンツのバージョン番号を初期値にしたファイル名を生成し、収録・編集系管理サーバー１０２経由で、収録サーバー１０４に配信する（ステップ３０１）。
【００３７】
次に、収録サーバー１０４は、管理サーバー１０１から指定されたＨＤＴＶ方式の収録用の番組コンテンツのファイルを、管理サーバー１０１から配信された初期のファイル名にて収録用ストレージ１０５に記録する（ステップ３０２）。
【００３８】
次に、番組コンテンツを編集する場合の動作について、図４を参照して説明する。
【００３９】
図４を参照すると、編集機１０６は、番組コンテンツの編集開始前に、その番組コンテンツの新たなファイル名の配信要求を、収録・編集系管理サーバー１０２経由で、管理サーバー１０１に対して行う（ステップ４０１）。
【００４０】
次に、管理サーバー１０１は、番組コンテンツのバージョン番号を１段階上げた新たなファイル名を生成し、収録・編集系管理サーバー１０２経由で、編集機１０６に配信する（ステップ４０２）。
【００４１】
次に、編集機１０６は、管理サーバー１０１から配信された新たなファイル名にてその番組コンテンツのファイルを編集する（ステップ４０３）。このファイルは、収録用ストレージ１０５に記録される。
【００４２】
次に、送出１系用転送用装置１０７および送出２系用転送用装置１０８は、編集機１０６が新たなファイル名にて編集した番組コンテンツのファイルを、送出１系用ストレージ１０９および送出２系用ストレージ１１０にそれぞれ転送して記録する（ステップ４０４）。
【００４３】
次に、番組コンテンツを放送する場合の動作について、図５を参照して説明する。
【００４４】
図５を参照すると、送出制御装置１１２は、端末２０から番組コンテンツを指定した放送指示を受けると（ステップ５０１）、その番組コンテンツのＩＤとファイルの最大のバージョン番号とを、送出系管理サーバー１０３から取得する（ステップ５０２）。
【００４５】
次に、送出制御装置１１２は、送出系管理サーバー１０３から取得した番組コンテンツのＩＤとファイルの最大のバージョン番号とを指定して、ファイル名のバージョン番号が最大であるファイルの番組コンテンツを放送するよう、送出装置１１１に依頼する（ステップ５０３）。
【００４６】
次に、送出装置１１１では、送出サーバー（１系）１１３および送出サーバー（２系）１１４は、それぞれ送出１系用ストレージ１０９および送出２系用ストレージ１１０から、送出制御装置１１２から依頼されたファイル名のバージョン番号が最大であるファイルの番組コンテンツを読み出し出力する。そして、スイッチャー１１５は、送出サーバー（１系）１１３または送出サーバー（２系）１１４のいずれかから出力された番組コンテンツを、端末２０に向けて放送する（ステップ５０４）。
【００４７】
次に、番組コンテンツのファイルを削除する場合の動作について、図６を参照して説明する。
【００４８】
図６を参照すると、送出制御装置１１２は、端末２０から番組コンテンツを指定した放送指示を受けるたびに、その番組コンテンツのファイルのうち、ファイル名のバージョン番号が最大ではなくなったファイル、すなわち旧バージョンの番組コンテンツのファイルのアクセス履歴を送出系管理サーバー１０３から取得し、一定期間アクセスがないか判断する。一定期間アクセスがない場合は、送出制御装置１１２は、そのファイルのファイル名を指定して削除するよう、収録・編集系管理サーバー１０２および送出系管理サーバー１０３に依頼する（ステップ６０１）。
【００４９】
次に、収録・編集系管理サーバー１０２は、管理サーバー１０１からファイル名が指定された旧バージョンの番組コンテンツのファイルを収録用ストレージ１０５から削除し（ステップ６０２）、また、送出系管理サーバー１０３は、管理サーバー１０１からファイル名が指定された旧バージョンの番組コンテンツのファイルを送出１系用ストレージ１０９および送出２系用ストレージ１１０から削除する（ステップ６０２）。
【００５０】
上述したように本実施形態においては、番組コンテンツの編集時、管理サーバー１０１は、番組コンテンツのバージョン番号を上げた新たなファイル名を編集機１０６に配信し、編集機１０６は、新たなファイル名にて番組コンテンツのファイルを編集し、送出１系用転送用装置１０７および送出２系用転送用装置１０８は、編集機１０６が新たなファイル名にて編集した番組コンテンツのファイルを、送出１系用ストレージ１０９および送出２系用ストレージ１１０にそれぞれ転送して記録する。
【００５１】
したがって、番組コンテンツの編集時には、編集後の新バージョンの番組コンテンツが、上書きとはならずに、別ファイルとして送出１系用ストレージ１０９および送出２系用ストレージ１１０に自動的に記録されることになるため、ユーザは、別ファイルの存在を意識することなく、番組コンテンツの編集・再編集を容易に行うことができる。
【００５２】
また、本実施形態においては、送出装置１１１は、番組コンテンツの放送時、その番組コンテンツのファイルのうち、ファイル名のバージョン番号が最大であるファイルを送出１系用ストレージ１０９および送出２系用ストレージ１１０から読み出し、読み出したファイルの番組コンテンツを放送する。
【００５３】
したがって、番組コンテンツを複数回編集したことにより、番組コンテンツの素材自体は同一でバージョンが異なる複数のファイルが送出１系用ストレージ１０９および送出２系用ストレージ１１０に記録されていたとしても、その中から最新バージョンの番組コンテンツを放送することができる。
【００５４】
また、本実施形態においては、送出系管理サーバー１０３は、送出１系用ストレージ１０９および送出２系用ストレージ１１０内の番組コンテンツのファイルのうち、ファイル名のバージョン番号が最大ではなくなったファイル、すなわち旧バージョンの番組コンテンツのファイルを一定期間アクセスがない場合に削除する。同様に、収録・編集系管理サーバー１０２も、収録用ストレージ１０５内の旧バージョンの番組コンテンツのファイルを一定期間アクセスがない場合に削除する。
【００５５】
したがって、旧バージョンの番組コンテンツのファイルによって、収録用ストレージ１０５、送出１系用ストレージ１０９、および送出２系用ストレージ１１０の残り容量を圧迫してしまうことを回避することができる。
【図面の簡単な説明】
【００５６】
【図１】本発明の一実施形態の番組放送システムの構成を示すブロック図である。
【図２】図１に示した管理サーバーが生成する番組コンテンツのファイル名の一例を説明する図である。
【図３】図１に示した番組放送システムにおいて、番組コンテンツを収録する場合の動作を説明する図である。
【図４】図１に示した番組放送システムにおいて、番組コンテンツを編集する場合の動作を説明する図である。
【図５】図１に示した番組放送システムにおいて、番組コンテンツを放送する場合の動作を説明する図である。
【図６】図１に示した番組放送システムにおいて、番組コンテンツのファイルを削除する場合の動作を説明する図である。
【符号の説明】
【００５７】
１０    番組放送システム
２０    端末
１０１    管理サーバー
１０２    収録・編集系管理サーバー
１０３    送出系管理サーバー
１０４    収録サーバー
１０５    収録用ストレージ
１０６    編集機
１０７    送出１系用転送用装置
１０８    送出２系用転送用装置
１０９    送出１系用ストレージ
１１０    送出２系用ストレージ
１１１    送出装置
１１２    送出制御装置
１１３    送出サーバー（１系）
１１４    送出サーバー（２系）
１１５    スイッチャー
【図２】
2009044323.tif 000003
【図１】
2009044323.tif 000004
【図３】
2009044323.tif 000005
【図４】
2009044323.tif 000006
【図５】
2009044323.tif 000007
【図６】
2009044323.tif 000008